(57)【要約】  本発明は、広帯域無線接続通信システムにおいて、サービング基地局は、複数の隣接基地局のそれぞれの基地局識別子と、複数の隣接基地局が使用する基準信号を示す基準信号インデックスとを含む隣接基地局情報をブロードキャストし、移動端末機は、隣接基地局情報を受信し、スキャニングを希望する時点で、サービング基地局にスキャニング区間の割当てを要求し、サービング基地局は、スキャニング区間割当て要求に応じて、移動端末機にスキャニング区間を割り当て、移動端末機は、スキャニング区間の間に、隣接基地局情報に応じて、複数の隣接基地局から受信される基準信号をスキャニングする。
2008500764.tif 000002
【特許請求の範囲】
【請求項１】
移動端末機と、前記移動端末機に現在サービスを提供しているサービング基地局と、前記サービング基地局とは相互に異なる複数の隣接基地局とを含む広帯域無線接続通信システムにおいて、移動端末機のハンドオーバー方法であって、
前記サービング基地局からブロードキャストされる複数の隣接基地局のそれぞれの基地局識別子と、前記複数の隣接基地局のそれぞれの基準信号インデックスとを含む隣接基地局情報を受信するステップと、
スキャニングを遂行する間に、前記サービング基地局に前記スキャニングを遂行するスキャニング区間の割当てを要求するステップと、
前記要求に応じて、前記サービング基地局から前記サービング基地局が割り当てたスキャニング区間を受信するステップと、
スキャニング区間割当て応答に割り当てられた時間の間に、一つ以上の隣接基地局情報に基づいて、前記一つ以上の隣接基地局から受信される基準信号をスキャニングするステップと
を具備することを特徴とする方法。
【請求項２】
前記スキャニングの結果に基づいて、ハンドオーバーを遂行する必要があると、前記複数の隣接基地局のうち、一つ又はそれ以上の推奨隣接基地局を選択するステップと、
前記一つ又はそれ以上の推奨隣接基地局のそれぞれの基地局識別子と、前記一つ又はそれ以上の推奨隣接基地局が使用する基準信号を示す基準信号インデックスとを含むハンドオーバー要求を前記サービング基地局へ送信するステップと、
前記ハンドオーバー要求に応じて、一つ又はそれ以上の推奨ターゲット基地局のそれぞれの基地局識別子と、前記一つ又はそれ以上の推奨ターゲット基地局が使用する基準信号を示す基準信号インデックスとを含むハンドオーバー応答を前記サービング基地局から受信するステップと、
前記ハンドオーバー応答に応じて、前記サービング基地局が最終ターゲット基地局にハンドオーバーするように指示するステップとをさらに具備することを特徴とする請求項１記載の方法。
【請求項３】
前記基準信号は、プリアンブル信号であることを特徴とする請求項１記載の方法。
【請求項４】
移動端末機と、前記移動端末機に現在サービスを提供しているサービング基地局と、前記サービング基地局とは相互に異なる複数の隣接基地局とを含む広帯域無線接続通信システムにおいて、サービング基地局のハンドオーバー方法であって、
複数の隣接基地局のそれぞれの基地局識別子と、複数の隣接基地局が使用する基準信号を示す基準信号インデックスとを含む隣接基地局情報をブロードキャストするステップと、
前記移動端末機からスキャニングを遂行するスキャニング区間割当て要求を受信するステップと、
前記スキャニング区間割当て要求に応じて、前記移動端末機に前記スキャニング区間を割り当てるステップと
を具備することを特徴とする方法。
【請求項５】
前記複数の隣接基地局から選択された一つ又はそれ以上の推奨隣接基地局のそれぞれの基地局識別子と、前記一つ又はそれ以上の推奨隣接基地局が使用する基準信号を示す基準信号インデックスとを含むハンドオーバー要求を受信するステップと、
前記ハンドオーバー要求に応じて、前記一つ又はそれ以上の推奨隣接基地局のうち、前記移動端末機に最適のサービスを提供することができる一つ又はそれ以上の推奨ターゲット基地局を選択するステップと、
前記一つ又はそれ以上の推奨隣接基地局の基地局識別子と、前記一つ又はそれ以上の推奨隣接基地局が使用する基準信号を示す基準信号インデックスとを含むハンドオーバー応答を前記移動端末機へ送信するステップとをさらに具備することを特徴とする請求項４記載の方法。
【請求項６】
前記基準信号は、プリアンブル信号であることを特徴とする請求項４記載の方法。
【請求項７】
移動端末機と、前記移動端末機に現在サービスを提供しているサービング基地局と、前記サービング基地局とは相互に異なる複数の隣接基地局とを含む広帯域無線接続通信システムにおいて、移動端末機のハンドオーバー方法であって、
前記サービング基地局からブロードキャストされる複数の隣接基地局のそれぞれの基地局識別子と、前記複数の隣接基地局が使用するセクターの個数と、前記セクターの各々が使用する基準信号を示す基準信号インデックスとを含む隣接基地局情報を受信するステップと、
スキャニングを遂行する間に、前記サービング基地局に前記スキャニングを遂行するスキャニング区間の割当てを要求するステップと、
前記要求に応じて、前記サービング基地局から前記サービング基地局が割り当てたスキャニング区間を受信するステップと、
スキャニング区間割当て応答に割り当てられた時間の間に、前記複数の隣接基地局情報に基づいて、前記複数の隣接基地局のセクターから受信される基準信号をスキャニングするステップと
を具備することを特徴とする方法。
【請求項８】
前記スキャニングの結果に基づいて、ハンドオーバーを遂行する必要があると、前記複数の隣接基地局のうち、一つ又はそれ以上の推奨隣接基地局のターゲットセクターを選択するステップと、
前記ハンドオーバーがセクター間のハンドオーバーであることを示す識別子と、前記一つ又はそれ以上の推奨隣接基地局のそれぞれの基地局識別子と、前記ターゲットセクターが使用する基準信号を示す基準信号インデックスとを含むハンドオーバー要求を前記サービング基地局へ送信するステップと、
前記ハンドオーバー要求に応じて、一つ又はそれ以上の推奨ターゲット基地局のそれぞれの基地局識別子と、前記ターゲットセクターが使用する基準信号を示す基準信号インデックスとを含むハンドオーバー応答を前記サービング基地局から受信するステップと、
前記ハンドオーバー応答に応じて、前記サービング基地局が前記ターゲットセクターにハンドオーバーするように指示するステップとをさらに具備することを特徴とする請求項７記載の方法。
【請求項９】
前記基準信号は、プリアンブル信号であることを特徴とする請求項８記載の方法。
【請求項１０】
移動端末機と、前記移動端末機に現在サービスを提供しているサービング基地局と、前記サービング基地局とは相互に異なる複数の隣接基地局とを含む広帯域無線接続通信システムにおいて、サービング基地局のハンドオーバー方法であって、
複数の隣接基地局のそれぞれの基地局識別子と、前記複数の隣接基地局が使用するセクターの個数と、前記セクターが使用する基準信号を示す基準信号インデックスとを含む隣接基地局情報をブロードキャストするステップと、
前記移動端末機からスキャニングを遂行するスキャニング区間割当て要求を受信するステップと、
前記スキャニング区間割当て要求に応じて、前記移動端末機に前記スキャニング区間を割り当てるステップと
を具備することを特徴とする方法。
【請求項１１】
前記ハンドオーバーがセクター間のハンドオーバーであることを示す識別子と、一つ又はそれ以上の推奨隣接基地局のそれぞれの基地局識別子と、ターゲットセクターが使用する基準信号を示す基準信号インデックスとを含むハンドオーバー要求を前記移動端末機から受信するステップと、
前記ハンドオーバー要求に応じて、前記一つ又はそれ以上の推奨ターゲット基地局のターゲットセクターのうち、前記移動端末機に最適のサービスを提供することができる一つ又はそれ以上の推奨ターゲット基地局のターゲットセクターを選択するステップと、
前記一つ又はそれ以上の推奨ターゲット基地局の基地局識別子と、前記ターゲットセクターが使用する基準信号を示す基準信号インデックスとを含むハンドオーバー応答を前記移動端末機へ送信するステップとをさらに具備することを特徴とする請求項１０記載の方法。
【請求項１２】
前記基準信号は、プリアンブル信号であることを特徴とする請求項１１記載の方法。
【請求項１３】
広帯域無線接続通信システムにおけるハンドオーバー方法であって、
サービング基地局が、複数の隣接基地局のそれぞれの基地局識別子と、前記複数の隣接基地局が使用する基準信号を示す基準信号インデックスとを含む隣接基地局情報をブロードキャストするステップと、
移動端末機が前記隣接基地局情報を受信するステップと、
前記移動端末機がスキャニングを希望する時点で、前記サービング基地局に前記スキャニングを遂行するスキャニング区間の割当てを要求するステップと、
前記サービング基地局が、前記スキャニング区間割当て要求に応じて、前記移動端末機に前記スキャニング区間を割り当てるステップと、
前記移動端末機が、前記スキャニング区間の間に、前記複数の隣接基地局情報に応じて、前記複数の隣接基地局から受信される基準信号をスキャニングするステップと
を具備することを特徴とする方法。
【請求項１４】
前記移動端末機が、前記スキャニングの結果に基づいて、ハンドオーバーを遂行する必要があると、前記複数の隣接基地局のうち、一つ又はそれ以上の推奨隣接基地局を選択するステップと、
前記一つ又はそれ以上の推奨隣接基地局のそれぞれの基地局識別子と、前記一つ又はそれ以上の推奨隣接基地局が使用する基準信号を示す基準信号インデックスとを含むハンドオーバー要求を前記サービング基地局へ送信するステップと、
前記サービング基地局が、前記ハンドオーバー要求に応じて、前記一つ又はそれ以上の推奨隣接基地局のうち、前記移動端末機に最適のサービスを提供することができる一つ又はそれ以上の推奨ターゲット基地局を選択するステップと、
前記サービング基地局が、前記一つ又はそれ以上の推奨ターゲット基地局のそれぞれの基地局識別子と、前記一つ又はそれ以上の推奨ターゲット基地局が使用する基準信号を示す基準信号インデックスとを含むハンドオーバー応答を前記移動端末機へ送信するステップと、
前記移動端末機は、前記ハンドオーバー応答に応じて、前記サービング基地局が最終ターゲット基地局にハンドオーバーするように指示するステップとをさらに具備することを特徴とする請求項１３記載の方法。
【請求項１５】
前記基準信号は、プリアンブル信号であることを特徴とする請求項１３記載の方法。
【請求項１６】
広帯域無線接続通信システムにおけるハンドオーバー方法であって、
サービング基地局は、複数の隣接基地局のそれぞれの基地局識別子と、前記複数の隣接基地局が使用するセクターの個数と、前記セクターの各々が使用する基準信号を示す基準信号インデックスとを含む隣接基地局情報をブロードキャストするステップと、
移動端末機が、前記隣接基地局情報を受信し、スキャニングを希望する時点で、前記サービング基地局へスキャニングを遂行するスキャニング区間の割当てを要求するステップと、
前記移動端末機が、前記割り当てられたスキャニング区間の間に、前記複数の隣接基地局情報に応じて、前記複数の隣接基地局のセクターから受信される基準信号をスキャニングするステップと
を具備することを特徴とする方法。
【請求項１７】
前記移動端末機が、前記スキャニングの結果に基づいて、ハンドオーバーを遂行する必要があると、前記複数の隣接基地局のうち、一つ又はそれ以上の推奨隣接基地局のターゲットセクターを選択するステップと、
前記ハンドオーバーがセクター間のハンドオーバーであることを示す識別子と、前記一つ又はそれ以上の推奨隣接基地局のそれぞれの基地局識別子と、前記ターゲットセクターが使用する基準信号を示す基準信号インデックスとを含むハンドオーバー要求を前記サービング基地局へ送信するステップと、
前記サービング基地局が、前記ハンドオーバー要求に応じて、前記一つ又はそれ以上の推奨隣接基地局のうち、前記移動端末機に最適のサービスを提供することができる一つ又はそれ以上の推奨ターゲット基地局を選択するステップと、
前記サービング基地局が、前記一つ又はそれ以上の推奨ターゲット基地局のそれぞれの基地局識別子と、前記ターゲットセクターが使用する基準信号を示す基準信号インデックスとを含むハンドオーバー応答を前記移動端末機へ送信するステップと、
前記移動端末機は、前記ハンドオーバー応答に応じて、前記サービング基地局が最終ターゲット基地局にハンドオーバーするように指示するステップとをさらに具備することを特徴とする請求項１６記載の方法。
【請求項１８】
前記基準信号は、プリアンブル信号であることを特徴とする請求項１６記載の方法。
【請求項１９】
広帯域無線接続通信システムにおけるハンドオーバーシステムであって、
複数の隣接基地局のそれぞれの基地局識別子と、前記複数の隣接基地局が使用する基準信号を示す基準信号インデックスとを含む隣接基地局情報をブロードキャストし、移動端末機からスキャニングを遂行するスキャニング区間割当て要求を受信すると、前記スキャニング区間割当て要求に応じて、前記移動端末機へ前記スキャニング区間を割り当てるサービング基地局と、
前記隣接基地局情報を受信し、前記スキャニングを希望する時点で、前記サービング基地局に前記スキャニング区間の割当てを要求し、前記スキャニング区間割当て要求に応じて、前記サービング基地局から前記スキャニング区間を受信し、前記スキャニング区間の間に、前記隣接基地局情報に応じて、前記複数の隣接基地局から受信される基準信号をスキャニングする前記移動端末機とを具備することを特徴とするシステム。
【請求項２０】
前記移動端末機は、前記スキャニングの結果に基づいて、ハンドオーバーを遂行する必要があると、前記複数の隣接基地局のうち、一つ又はそれ以上の推奨隣接基地局を選択し、前記一つ又はそれ以上の推奨隣接基地局のそれぞれの基地局識別子と、前記一つ又はそれ以上の推奨隣接基地局が使用する基準信号を示す基準信号インデックスとを含むハンドオーバー要求を前記サービング基地局へ送信し、前記ハンドオーバー要求に応じて、ハンドオーバーされる一つ又はそれ以上の推奨ターゲット基地局の基地局識別子と、前記一つ又はそれ以上の推奨ターゲット基地局が使用する基準信号を示す基準信号インデックスとを含むハンドオーバー応答を前記サービング基地局から受信すると、前記ハンドオーバー応答に応じて、前記サービング基地局が最終ターゲット基地局にハンドオーバーするように指示することを特徴とする請求項１９記載のシステム。
【請求項２１】
前記サービング基地局は、前記複数の隣接基地局のうち、一つ又はそれ以上の推奨隣接基地局のそれぞれの基地局識別子と、前記一つ又はそれ以上の推奨隣接基地局が使用する基準信号を示す基準信号インデックスとを含むハンドオーバー要求を前記移動端末機から受信し、前記ハンドオーバー要求に応じて、前記一つ又はそれ以上の推奨隣接基地局のうち、前記移動端末機へ最適のサービスを提供することができる一つ又はそれ以上の推奨ターゲット基地局を選択した後に、前記一つ又はそれ以上の推奨ターゲット基地局の基地局識別子と、前記一つ又はそれ以上の推奨ターゲット基地局が使用する基準信号を示す基準信号インデックスとを含むハンドオーバー応答を前記移動端末機へ送信することを特徴とする請求項１９記載のシステム。
【請求項２２】
前記基準信号は、プリアンブル信号であることを特徴とする請求項１９記載のシステム。
【請求項２３】
広帯域無線接続通信システムにおけるハンドオーバーシステムであって、
複数の隣接基地局のそれぞれの基地局識別子と、前記複数の隣接基地局が使用するセクターの個数と、前記複数のセクターが使用する基準信号を示す基準信号インデックスとを含む隣接基地局情報をブロードキャストし、移動端末機からスキャニングを遂行するスキャニング区間割当て要求を受信すると、前記スキャニング区間割当て要求に応じて、前記移動端末機へ前記スキャニング区間を割り当てるサービング基地局と、
前記隣接基地局情報を受信し、前記スキャニングを希望する時点で、前記サービング基地局に前記スキャニング区間の割当てを要求し、前記スキャニング区間割当て要求に応じて、前記サービング基地局から前記スキャニング区間を受信し、前記スキャニング区間の間に、前記隣接基地局情報に応じて、前記複数の隣接基地局から受信される基準信号をスキャニングする前記移動端末機とを具備することを特徴とするシステム。
【請求項２４】
前記移動端末機は、前記スキャニングの結果に基づいて、ハンドオーバーを遂行する必要があると、前記複数の隣接基地局のうち、一つ又はそれ以上の推奨隣接基地局のターゲットセクターを選択し、前記ハンドオーバーがセクター間のハンドオーバーであることを示す識別子と、前記一つ又はそれ以上の推奨隣接基地局のそれぞれの基地局識別子と、前記ターゲットセクターが使用する基準信号を示す基準信号インデックスとを含むハンドオーバー要求を前記サービング基地局へ送信し、前記ハンドオーバー要求に応じて、ハンドオーバーされる一つ又はそれ以上の推奨ターゲット基地局の基地局識別子と、前記ターゲットセクターが使用する基準信号を示す基準信号インデックスとを含むハンドオーバー応答を前記サービング基地局から受信すると、前記ハンドオーバー応答に応じて、前記サービング基地局が最終ターゲット基地局にハンドオーバーするように指示することを特徴とする請求項２３記載のシステム。
【請求項２５】
前記サービング基地局は、前記ハンドオーバーがセクター間のハンドオーバーであることを示す識別子と、前記一つ又はそれ以上の推奨隣接基地局のそれぞれの基地局識別子と、前記ターゲットセクターが使用する基準信号を示す基準信号インデックスとを含むハンドオーバー要求を前記移動端末機から受信し、前記ハンドオーバー要求に応じて、前記一つ又はそれ以上の推奨隣接基地局のターゲットセクターのうち、前記移動端末機へ最適のサービスを提供することができる一つ又はそれ以上の推奨ターゲット基地局のそれぞれのターゲットセクターを選択した後に、前記一つ又はそれ以上の推奨ターゲット基地局のそれぞれの基地局識別子と、前記ターゲットセクターが使用する基準信号を示す基準信号インデックスとを含むハンドオーバー応答を前記移動端末機へ送信することを特徴とする請求項２３記載のシステム。
【請求項２６】
前記基準信号は、プリアンブル信号であることを特徴とする請求項２３記載のシステム。
【発明の詳細な説明】
【技術分野】
【０００１】
本発明は、広帯域無線接続（ＢＷＡ；Broadband Wireless Access、以下、‘ＢＷＡ'と称する）通信システムに関し、特に、広帯域無線接続通信システムにおいて、ハンドオーバー（handover）システム及び方法に関する。
【背景技術】
【０００２】
次世代通信システムにおいては、高速の速度で多様なサービス品質（Quality of Service：以下、“ＱｏＳ”とする）を有するサービスをユーザーに提供するための活発な研究が進んでいる。このように、高速の転送速度を支援するために、次世代通信システムは、無線近距離通信ネットワーク（Local Area Network：以下、“ＬＡＮ”とする）システム及び無線都市地域ネットワーク（Metropolitan Area Network：以下、“ＭＡＮ”とする）システムのような高速の速度を遂行することができる広帯域無線接続（Broadband Wireless Access：ＢＷＡ）通信システムに移動性（Mobility）及びＱｏＳを保証する形態で発展していっている。次世代通信システムの代表的な通信システムが、ＩＥＥＥ（Institute of Electrical and Electronics Engineers）８０２.１６ｅ通信システムである。
【０００３】
図１は、一般的なＩＥＥＥ８０２．１６ｅ通信システムの構成を概略的に示す。
図１を参照すると、上記ＩＥＥＥ８０２.１６ｅ通信システムは、多重セル構造、すなわちセル１００とセル１５０を有する。また、ＩＥＥＥ８０２.１６ｅ通信システムは、セル１００を管理する基地局（Ｂａｓｅ  Ｓｔａｔｉｏｎ：ＢＳ）１１０と、セル１５０を管理する基地局１４０と、複数の移動端末機（Mobile Station；以下、‘ＭＳ'と称する）１１１，１１３，１３０，１５１，１５３とを含む。そして、基地局１１０，１４０とＭＳ１１１，１１３，１３０，１５１，１５３との間の信号送受信は、直交周波数分割多元（Orthogonal Frequency Division Multiplexing；以下、ＯＦＤＭと称する）方式及び直交周波数分割多元接続（Orthogonal Frequency Division Multiplexing Access；以下、ＯＦＤＭＡと称する）方式を使用して遂行される。しかしながら、ＭＳ１１１，１１３，１３０，１５１，１５３の中で、ＭＳ１３０は、セル１００とセル１５０との境界領域、すなわちハンドオーバー領域（handover region）に位置する。したがって、ＭＳ１３０に対するハンドオーバーを支援しなければならない。
【発明の開示】
【発明が解決しようとする課題】
【０００４】
上述したように、現在、上記ＩＥＥＥ８０２．１６ｅ通信システムにおいては、ＭＳの移動性を支援しなければならないので、ＭＳに対するハンドオーバーの支援は、上記ＩＥＥＥ８０２．１６ｅ通信システムの性能を決定する重要な要素として作用する。すなわち、複数のＢＳ間のＭＳに対するハンドオーバーと、複数のセクター（sector）を支援する複数のセクター構成のＢＳ間のハンドオーバーと、同一のＢＳ内の上記複数のセクター間のハンドオーバーとを考慮しなければならない。現在、上記ＩＥＥＥ８０２．１６ｅ通信システムは、ＭＳに対するハンドオーバーを支援するための、きわめて制限的な一部のハンドオーバー過程のみに対して提案している。従って、上記ＭＳに対するハンドオーバーを支援するための具体的なハンドオーバー過程を提供する必要があった。
【０００５】
上記背景に鑑みて、本発明の目的は、ＢＷＡ通信システムにおけるハンドオーバーのためのシステム及び方法を提供することにある。
【０００６】
本発明の他の目的は、ＢＷＡ通信システムにおけるセクター間のハンドオーバーを支援するシステム及び方法を提供することにある。
【０００７】
本発明のさらなる目的は、ＢＷＡ通信システムにおける隣接ＢＳのプリアンブルインデックス情報をブロードキャストするハンドオーバーのためのシステム及び方法を提供することにある。
【０００８】
本発明のもう１つの目的は、ＢＷＡ通信システムにおけるセクターのプリアンブルインデックス情報をブロードキャストするハンドオーバーのためのシステム及び方法を提供することにある。
【課題を解決するための手段】
【０００９】
上記のような目的を達成するために、本発明の第１の見地によると、移動端末機と、上記移動端末機に現在サービスを提供しているサービング基地局と、上記サービング基地局とは相互に異なる複数の隣接基地局とを含む広帯域無線接続通信システムにおいて、移動端末機のハンドオーバー方法は、上記サービング基地局からブロードキャストされる複数の隣接基地局のそれぞれの基地局識別子と、上記複数の隣接基地局のそれぞれの基準信号インデックスとを含む隣接基地局情報を受信するステップと、スキャニングを遂行する間に、上記サービング基地局に上記スキャニングを遂行するスキャニング区間の割当てを要求するステップと、上記要求に応じて、上記サービング基地局から上記サービング基地局が割り当てたスキャニング区間を受信するステップと、スキャニング区間割当て応答に割り当てられた時間の間に、一つ以上の隣接基地局情報に基づいて、上記一つ以上の隣接基地局から受信される基準信号をスキャニングするステップとを具備することを特徴とする。
【００１０】
本発明の第２の見地によると、移動端末機と、上記移動端末機に現在サービスを提供しているサービング基地局と、上記サービング基地局とは相互に異なる複数の隣接基地局とを含む広帯域無線接続通信システムにおいて、サービング基地局のハンドオーバー方法は、複数の隣接基地局のそれぞれの基地局識別子と、複数の隣接基地局が使用する基準信号を示す基準信号インデックスとを含む隣接基地局情報をブロードキャストするステップと、上記移動端末機からスキャニングを遂行するスキャニング区間割当て要求を受信するステップと、上記スキャニング区間割当て要求に応じて、上記移動端末機に上記スキャニング区間を割り当てるステップとを具備することを特徴とする。
【００１１】
本発明の第３の見地によると、移動端末機と、上記移動端末機に現在サービスを提供しているサービング基地局と、上記サービング基地局とは相互に異なる複数の隣接基地局とを含む広帯域無線接続通信システムにおいて、移動端末機のハンドオーバー方法は、上記サービング基地局からブロードキャストされる複数の隣接基地局のそれぞれの基地局識別子と、上記複数の隣接基地局が使用するセクターの個数と、上記セクターの各々が使用する基準信号を示す基準信号インデックスとを含む隣接基地局情報を受信するステップと、スキャニングを遂行する間に、上記サービング基地局に上記スキャニングを遂行するスキャニング区間の割当てを要求するステップと、上記要求に応じて、上記サービング基地局から上記サービング基地局が割り当てたスキャニング区間を受信するステップと、スキャニング区間割当て応答に割り当てられた時間の間に、上記複数の隣接基地局情報に基づいて、上記複数の隣接基地局のセクターから受信される基準信号をスキャニングするステップとを具備することを特徴とする。
【００１２】
本発明の第４の見地によると、広帯域無線接続通信システムにおけるハンドオーバー方法は、サービング基地局が、複数の隣接基地局のそれぞれの基地局識別子と、上記複数の隣接基地局が使用する基準信号を示す基準信号インデックスとを含む隣接基地局情報をブロードキャストするステップと、移動端末機は、上記隣接基地局情報を受信するステップと、上記移動端末機がスキャニングを希望する時点で、上記サービング基地局に上記スキャニングを遂行するスキャニング区間の割当てを要求するステップと、上記サービング基地局が、上記スキャニング区間割当て要求に応じて、上記移動端末機に上記スキャニング区間を割り当てるステップと、上記移動端末機が、上記スキャニング区間の間に、上記複数の隣接基地局情報に応じて、上記複数の隣接基地局から受信される基準信号をスキャニングするステップとを具備することを特徴とする。
【００１３】
本発明の第５の見地によると、広帯域無線接続通信システムにおけるハンドオーバー方法は、サービング基地局が、複数の隣接基地局のそれぞれの基地局識別子と、上記複数の隣接基地局が使用するセクターの個数と、上記セクターの各々が使用する基準信号を示す基準信号インデックスとを含む隣接基地局情報をブロードキャストするステップと、移動端末機が、上記隣接基地局情報を受信し、上記移動端末機がスキャニングを希望する時点で、上記サービング基地局へスキャニングを遂行するスキャニング区間の割当てを要求するステップと、上記移動端末機が、上記割り当てられたスキャニング区間の間に、上記複数の隣接基地局情報に応じて、上記複数の隣接基地局のセクターから受信される基準信号をスキャニングするステップとを具備することを特徴とする。
【００１４】
本発明の第６の見地によると、広帯域無線接続通信システムにおけるハンドオーバーシステムは、複数の隣接基地局のそれぞれの基地局識別子と、上記複数の隣接基地局が使用するセクターの個数と、上記複数のセクターが使用する基準信号を示す基準信号インデックスとを含む隣接基地局情報をブロードキャストし、移動端末機からスキャニングを遂行するスキャニング区間割当て要求を受信すると、上記スキャニング区間割当て要求に応じて、上記移動端末機へ上記スキャニング区間を割り当てるサービング基地局と、上記隣接基地局情報を受信し、上記スキャニングを希望する時点で、上記サービング基地局に上記スキャニング区間の割当てを要求し、上記スキャニング区間割当て要求に応じて、上記サービング基地局から上記スキャニング区間を受信し、上記スキャニング区間の間に、上記隣接基地局情報に応じて、上記複数の隣接基地局から受信される基準信号をスキャニングする上記移動端末機とを具備することを特徴とする。
【発明の効果】
【００１５】
本発明は、ＢＷＡ通信システムにおいて、ＭＯＢ-ＮＢＲ-ＡＤＶメッセージを通じて、隣接ＢＳ及び隣接ＢＳ内のセクターのプリアンブルインデックスをＭＳに予め通知することによって、ＭＳが高速のスキャニングを遂行できるようにする。結果的に、高速のハンドオーバーを可能にする、という利点を有する。また、本発明は、ＢＷＡ通信システムにおいて、セクターインデックスなどをＭＳに予め通知することによって、複数のセクターの構成を含むＢＳ間のハンドオーバーも可能にする、という利点を有する。
【発明を実施するための最良の形態】
【００１６】
以下、本発明の望ましい実施形態を添付の図面を参照して詳細に説明する。以下の説明では、本発明に関連した公知の機能又は構成に関する具体的な説明が本発明の要旨を不明にすると判断される場合には、その詳細な説明を省略する。
【００１７】
本発明は、広帯域無線接続（Broadband Wireless Access；以下、‘ＢＷＡ'と称する）通信システムにおいて、隣接基地局（neighbor BS（Base Station））、又は、セクター（sector）の情報、特に、プリアンブルインデックス（Preamble Index）情報をブロードキャストするハンドオーバーのためのシステム及び方法を提案する。特に、本発明は、隣接基地局広告（Mobile Neighbor Advertisement；以下、‘ＭＯＢ-ＮＢＲ-ＡＤＶ’と称する）メッセージを通じた隣接基地局（neighbor BS）の基地局識別子（BS Identifier；ＢＳ-ＩＤ）と、上記基地局識別子に相当するプリアンブルインデックスをブロードキャストすることによって、高速のハンドオーバーを可能にするハンドオーバーのためのシステム及び方法を提案する。以下、本発明において、ＩＥＥＥ（Institute Electrical and Electronics Engineers）８０２．１６ｅ通信システムは、上記ＢＷＡ通信システムの一つの形態として説明される。本発明が提案するハンドオーバーのためのシステム及び方法は、上記ＩＥＥＥ８０２．１６ｅ通信システムだけでなく、他のすべての通信システムにも適用されることができることは、もちろんである。
【００１８】
図２は、本発明の実施形態によるＩＥＥＥ８０２．１６ｅ通信システムにおけるハンドオーバー過程を示すフロー図である。
図２を参照すると、移動端末機（Mobile Station；以下、‘ＭＳ'と称する）は、一つ又はそれ以上の隣接基地局（neighbor BS）に対するスキャニング動作を遂行する（ステップＳ２１１）。図２では、上記隣接基地局が第２の基地局（ＢＳ＃２）２２０と、第３の基地局（ＢＳ＃３）２３０と、第４の基地局（ＢＳ＃４）２４０であると仮定する。以下、上記スキャニング動作について説明する。
【００１９】
まず、サービング基地局（serving BS）である第１の基地局（ＢＳ＃１）２１０は、ＭＯＢ-ＮＢＲ-ＡＤＶメッセージをブロードキャストし、移動端末機（Mobile Station；以下、‘ＭＳ'と称する）２００は、上記ＭＯＢ-ＮＢＲ-ＡＤＶメッセージを受信して、上記一つ又はそれ以上の隣接基地局に関する情報を獲得する。本発明では、上記該当隣接基地局が複数のセクターの構成を支援する場合に、複数のセクターの個数と、上記セクターで使用されるプリアンブルインデックスとが上記ＭＯＢ-ＮＢＲ-ＡＤＶメッセージに含まれる隣接基地局に関する情報に付加されることによって、予め定められた区間内で、ＭＳ２００が隣接基地局に対する高速のスキャニング動作を遂行することができる。
【００２０】
また、上述したように、複数のセクターの個数と、上記セクターで使用されるプリアンブルインデックスとが上記ＭＯＢ-ＮＢＲ-ＡＤＶメッセージに付加されることによって、複数のセクターの構成を含む基地局間のハンドオーバーを可能にする。もちろん、上記隣接基地局が上記複数のセクターの構成を支援しない場合には、上記隣接基地局で使用されるプリアンブルインデックスのみが上記ＭＯＢ-ＮＢＲ-ＡＤＶメッセージに付加されることによって、予め定められた区間内で、ＭＳ２００が隣接基地局に対する高速のスキャニング動作を遂行することができる。上記ＭＯＢ-ＮＢＲ-ＡＤＶメッセージに含まれている隣接基地局に関する情報については、下記で具体的に説明するので、ここでは、その詳細な説明を省略する。
【００２１】
上記隣接基地局に関する情報を獲得した後に、ＭＳ２００は、ＭＳ２００自身が隣接基地局、すなわち、第２の基地局２２０と、第３の基地局２３０と、第４の基地局２４０とから送信される基準信号（reference signal）、例えば、パイロット信号（pilot signal）の強度、例えば、キャリア対干渉雑音比（Carrier to Interference and Noise Ratio；以下、‘ＣＩＮＲ'と称する）をスキャニング（scanning）することを希望する場合に、第１の基地局２１０へスキャニング区間割当て要求（Mobile Scanning Interval Allocation Request；以下、‘ＭＯＢ-ＳＣＮ-ＲＥＱ’と称する）メッセージを送信する。下記の説明では、プリアンブル信号が上記パイロット信号の一形態であると仮定する。説明の便宜上、上記パイロット信号が上記プリアンブル信号とともに使用されることに留意しなければならない。
【００２２】
上記ＭＯＢ-ＳＣＮ-ＲＥＱメッセージは、ＭＳ２００が希望する上記パイロット信号に対するスキャニングに関連した情報を含み、上記一つ又はそれ以上の隣接基地局から送信されるパイロット信号のＣＩＮＲをスキャニングすることを希望するスキャン区間を示すスキャニング区間（Scanning Interval）を含む。ここで、上記スキャニング区間は、フレーム単位で表現され、ＭＳ２００が、上記スキャニング区間で表現される時区間の間に、有用な基地局をスキャンするための区間である。以下、本発明では、上記‘スキャニング区間（Scanning Interval）’と‘スキャンデュレーション（Scan Duration）’とを混用する点に留意しなければならない。また、ＭＳ２００がスキャニングすることを希望する時点は、本発明とは直接的な関連がないので、ここでは、その詳細な説明を省略する。
【００２３】
第１の基地局２１０は、ＭＳ２００から上記ＭＯＢ-ＳＣＮ-ＲＥＱメッセージを受信した後に、上記ＭＯＢ-ＳＣＮ-ＲＥＱメッセージに対する応答メッセージであるスキャニング区間割当て応答（Mobile Scanning Interval Allocation Response；以下、‘ＭＯＢ-ＳＣＮ-ＲＳＰ’と称する）メッセージをＭＳ２００へ送信する。上記ＭＯＢ-ＳＣＮ-ＲＳＰメッセージは、ＭＳ２００が遂行するパイロット信号スキャニングに関する情報を含む。すなわち、上記情報は、上記スキャン区間と、ＭＳ２００がスキャニングを遂行する区間であるデュレーション（Duration）と、ＭＳ２００がスキャン動作を開始する時点に関する情報であるスタートフレーム（Start Frame）とを含む。上述したように、第１の基地局２１０からＭＯＢ-ＳＣＮ-ＲＳＰメッセージを受信したＭＳ２００は、上記ＭＯＢ-ＳＣＮ-ＲＳＰメッセージ内のパイロット信号スキャニングに関する情報に応じて、上記隣接基地局に対するパイロット信号スキャニングを遂行する。
【００２４】
上述したような方式に従って、隣接基地局に対するスキャニングを完了した後に、ＭＳ２００は、上記スキャニング結果に基づいて、ハンドオーバーすることを決定すると、ＭＳ２００は、一つ又はそれ以上の推奨隣接基地局に関する情報を含むＭＳハンドオーバー要求（Mobile Station Handover Request；以下、‘ＭＯＢ-ＭＳＨＯ-ＲＥＱ’と称する）メッセージを第１の基地局２１０へ送信する（ステップＳ２１３）。上述したように、本発明は、上記ＭＯＢ-ＭＳＨＯ-ＲＥＱメッセージに含まれる一つ又はそれ以上の推奨隣接基地局に関する情報に、ＭＳ２００が遂行するハンドオーバーがセクター間のハンドオーバーであるか否かを示す‘Ｉｎｔｅｒ-Ｓｅｃｔｏｒ ＨＯ’と、ＭＳ２００が遂行するハンドオーバーがセクター間のハンドオーバーである場合の、ＭＳ２００がハンドオーバーする最終ターゲット基地局のターゲットセクターのプリアンブルインデックスを示す‘Ｐｒｅａｍｂｌｅ Ｉｎｄｅｘ’とを付加することによって、複数のセクターの構成を含む基地局へのハンドオーバーを支援する。上記ＭＯＢ-ＭＳＨＯ-ＲＥＱメッセージについては、下記で具体的に説明するので、ここでは、その詳細な説明を省略する。
【００２５】
ＭＳ２００から上記ＭＯＢ-ＭＳＨＯ-ＲＥＱメッセージを受信した第１の基地局２１０は、上記ＭＯＢ-ＭＳＨＯ-ＲＥＱメッセージに含まれている一つ又はそれ以上の推奨隣接基地局、すなわち、第２の基地局２２０及び第３の基地局２３０へハンドオーバー事前通知（以下、‘ＨＯ-ＰＲＥ-ＮＯＴＩＦＩＣＡＴＩＯＮ’と称する）メッセージを送信する（ステップＳ２１５及びステップＳ２１７）。ここで、上記ＨＯ-ＰＲＥ-ＮＯＴＩＦＩＣＡＴＩＯＮメッセージは、複数の情報エレメント（Information Element；以下、‘ＩＥ'と称する）、すなわち、ＭＳ２００のＭＳ識別子（ＭＳ ＩＤ）と、ＭＳ２００によるハンドオーバーの開始時間と予想される時間に関する情報と、ＭＳ２００が新たなサービング基地局として設定される最終ターゲット基地局に要求する帯域幅情報と、ＭＳ２００が上記最終ターゲット基地局に要求するＱｏＳ情報とを含む。
【００２６】
上記ＨＯ-ＰＲＥ-ＮＯＴＩＦＩＣＡＴＩＯＮメッセージを受信した第２の基地局２２０及び第３の基地局２３０は、上記ＨＯ-ＰＲＥ-ＮＯＴＩＦＩＣＡＴＩＯＮメッセージに対する応答メッセージである、ハンドオーバー事前通知応答（以下、‘ＨＯ-ＰＲＥ-ＮＯＴＩＦＩＣＡＴＩＯＮ-ＲＥＳＰＯＮＳＥ’と称する）メッセージを第１の基地局２１０へ送信する（ステップＳ２１９及びステップＳ２２１）。ここで、上記ＨＯ-ＰＲＥ-ＮＯＴＩＦＩＣＡＴＩＯＮ-ＲＥＳＰＯＮＳＥメッセージは、上記ＨＯ-ＰＲＥ-ＮＯＴＩＦＩＣＡＴＩＯＮメッセージに含まれているＭＳ２００のＭＳ識別子と、ＭＳ２００が上記該当基地局へハンドオーバーした場合に、該当基地局によってサービスが可能な帯域幅情報及びＱｏＳ情報とを含む。
【００２７】
第１の基地局２１０は、第２の基地局２２０及び第３の基地局２３０から受信されたＨＯ-ＰＲＥ-ＮＯＴＩＦＩＣＡＴＩＯＮ-ＲＥＳＰＯＮＳＥメッセージを分析して、ＭＳ２００が上記基地局へハンドオーバーする場合に、ＭＳ２００が要求する帯域幅及びＱｏＳを最適に提供することができる基地局を上記最終ターゲット基地局として選択する。図２では、第３の基地局２３０が上記最終ターゲット基地局として選択されたと仮定する。すると、第１の基地局２１０は、ハンドオーバー確認（以下、‘ＨＯ-ＣＯＮＦＩＲＭ’と称する）メッセージを第３の基地局２３０へ送信して、ＭＳ２００が第３の基地局２３０へハンドオーバーすることを通知する（ステップＳ２２３）。
【００２８】
また、第１の基地局２１０は、ハンドオーバー応答（Mobile Handover Response；以下、‘ＭＯＢ-ＭＳＨＯ-ＲＳＰ’と称する）メッセージをＭＳ２００へ送信する（ステップＳ２２５）。上記ＭＯＢ-ＭＳＨＯ-ＲＳＰメッセージは、ＭＳ２００がハンドオーバーする最終ターゲット基地局、すなわち、第３の基地局２３０に関する情報を含む。上記ＭＯＢ-ＭＳＨＯ-ＲＳＰメッセージが上記ＭＯＢ-ＭＳＨＯ-ＲＥＱメッセージに対する応答メッセージであるので、上記ＭＯＢ-ＭＳＨＯ-ＲＥＱメッセージに付加される情報を含む。しかしながら、これについては、下記に具体的に説明するので、ここでは、その詳細な説明を省略する。
【００２９】
上記ＭＯＢ-ＭＳＨＯ-ＲＳＰメッセージを受信したＭＳ２００は、上記ＭＯＢ-ＭＳＨＯ-ＲＳＰメッセージに対する応答メッセージであるハンドオーバー指示（Mobile Handover Indication；以下、‘ＭＯＢ-ＨＯ-ＩＮＤ‘と称する）メッセージを第１の基地局２１０へ送信する（ステップＳ２２７）。上記ＭＯＢ-ＨＯ-ＩＮＤメッセージは、上記ＭＯＢ-ＭＳＨＯ-ＲＥＱメッセージ及びＭＯＢ-ＭＳＨＯ-ＲＳＰメッセージなどに付加される情報を含む。しかしながら、これについては、下記で具体的に説明するので、ここでは、その詳細な説明を省略する。
【００３０】
上記ＭＯＢ-ＨＯ-ＩＮＤメッセージを受信した第１の基地局２１０は、ＭＳ２００と設定されている接続を解除（release）する（ステップＳ２２９）。別途に図示していないが、上述したように、ＭＳ２００が最終ターゲット基地局又は最終ターゲット基地局の該当セクターのプリアンブルインデックスを予め認知しているので、上記ハンドオーバーに従う最終ターゲット基地局への高速のネットワーク再進入（network reentry）を遂行することも可能である。
【００３１】
一方、図２では、ＭＳ２００が上記サービング基地局である第１の基地局２１０から、他の基地局へハンドオーバーすることを決定して、第１の基地局２１０にハンドオーバーを要求する、すなわち、ＭＳ２００が要求するハンドオーバーを一例に挙げて説明したが、第１の基地局２１０がロード分散（load balancing）などによって、ＭＳ２００の要求がなくても、非要求（unsolicited）方式にてＭＳ２００にハンドオーバーすることを要求することができることは、もちろんである。この場合に、第１の基地局２１０は、基地局ハンドオーバー要求（Base Station Handover Request；以下、‘ＭＯＢ-ＢＳＨＯ-ＲＥＱ’と称する）メッセージをＭＳ２００へ送信して、ＭＳ２００が上記ハンドオーバーを遂行することを要求する。
【００３２】
図３は、本発明の実施形態によるＩＥＥＥ８０２．１６ｅ通信システムにおけるスキャニング過程を示すフロー図である。
図３を参照すると、まず、ＭＳ３００のサービング基地局である第１の基地局３１０は、ＭＯＢ-ＮＢＲ-ＡＤＶメッセージをブロードキャストする（ステップＳ３１１）。図３では、隣接基地局が第２の基地局３２０及び第３の基地局３３０であると仮定する。ここで、上記ＭＯＢ-ＮＢＲ-ＡＤＶメッセージは、本発明が新たに提案するメッセージであって、ＩＥＥＥ８０２．１６ｅ通信システムにおける一般的なＭＯＢ-ＮＢＲ-ＡＤＶメッセージのフォーマットを変更することによって生成されるか、あるいは、新たなフォーマットを使用することによって生成されることができる。
【００３３】
図４は、本発明の実施形態によるＭＯＢ-ＮＢＲ-ＡＤＶメッセージのフォーマットを示す図である。
図４を参照すると、上記ＭＯＢ-ＮＢＲ-ＡＤＶメッセージは、複数のＩＥ、すなわち、現在送信されているメッセージのタイプを示す‘マネージメントメッセージタイプ（Management Message Type）’と、ネットワーク識別子を示すオペレーター識別子（Operator ID）’と、隣接基地局の個数を示す‘Ｎ_ＮＥＩＧＨＢＯＲＳ’と、上記隣接基地局の識別子を示す‘ＮＥＩＧＨＢＯＲ ＢＳ-ＩＤ’と、上記隣接基地局のダウンリンク（ＤＬ；downlink）物理チャンネル周波数を示す‘ＤＬ物理周波数（Physical Frequency）’と、該当隣接基地局内のセクターの個数を示す‘Ｎ_ｓｅｃｔｏｒｓ’と、該当セクターのプリアンブルインデックスを示す‘プリアンブルインデックス（Preamble Index）’と、構成（configuration）が変更される回数を示す‘構成変更カウント（Configuration Change Count）’と、上記隣接基地局に関連したそれ以外の情報を示す‘ＴＬＶ（Type、Length、Value）Ｅｎｃｏｄｅｄ Ｎｅｉｇｈｂｏｒ Ｉｎｆｏｒｍａｔｉｏｎ’と、付加用途で予約された‘Ｒｅｓｅｒｖｅｄ’とを含む。
【００３４】
図４に示すように、本発明が新たに提案するＭＯＢ-ＮＢＲ-ＡＤＶメッセージは、ＩＥＥＥ８０２．１６ｅ通信システムで使用された一般的なＭＯＢ-ＮＢＲ-ＡＤＶメッセージに上記‘Ｎ_ｓｅｃｔｏｒｓ’及び上記‘Ｐｒｅａｍｂｌｅ Ｉｎｄｅｘ’を付加した後に、ＭＳが該当隣接基地局内のセクターの個数及び該当セクターで使用されるプリアンブルのプリアンブルインデックスを予め認識するようにすることによって、予め定められたスキャニング区間内で、上記ＭＳが隣接基地局に対する高速のスキャニングを可能にする。
【００３５】
上述したように、第１の基地局３１０が上記ＭＯＢ-ＮＢＲ-ＡＤＶメッセージをブロードキャストした後に、ステップＳ３１１で、ＭＳ３００は、第１の基地局３１０からブロードキャストされる上記ＭＯＢ-ＮＢＲ-ＡＤＶメッセージを受信して、上記隣接基地局に関する情報を獲得する。上記隣接基地局に関する情報を獲得した後に、ＭＳ３００は、ＭＳ３００自身が隣接基地局、すなわち、第２の基地局３２０及び第３の基地局３３０から送信されるパイロット信号の強度、例えば、ＣＩＮＲをスキャニングすることを希望すると、第１の基地局３１０へ上記ＭＯＢ-ＳＣＮ-ＲＥＱメッセージを送信する（ステップＳ３１３）。
【００３６】
第１の基地局３１０は、ＭＳ３００から上記ＭＯＢ-ＳＣＮ-ＲＥＱメッセージを受信した後に、ステップＳ３１５で、上記ＭＯＢ-ＳＣＮ-ＲＥＱメッセージに対する応答メッセージである、“ＭＯＢ-ＳＣＮ-ＲＳＰ”メッセージをＭＳ３００へ送信する。上記ＭＯＢ-ＳＣＮ-ＲＳＰメッセージは、ＭＳ３００が遂行するパイロット信号スキャニングに関する情報と、ＭＳ３００がスキャニングを遂行する区間である‘Ｄｕｒａｔｉｏｎ’と、ＭＳ３００がスキャニング動作を開始する時点に関する情報を示す‘Ｓｔａｒｔ Ｆｒａｍｅ’とを含む。図３では、上記‘Ｄｕｒａｔｉｏｎ’は、Ｎフレーム（N frames）で表現され、上記‘Ｓｔａｒｔ Ｆｒａｍｅ’は、Ｍフレーム（M frames）で表現されると仮定する。上述したように、第１の基地局３１０から上記ＭＯＢ-ＳＣＮ-ＲＳＰメッセージを受信したＭＳ３００は、上記ＭＯＢ-ＳＣＮ-ＲＳＰメッセージに含まれているパイロット信号スキャニングに関する情報に応じて、上記隣接基地局に対するパイロット信号スキャニングを遂行する。
【００３７】
まず、ＭＳ３００は、上記ＭＯＢ-ＳＣＮ-ＲＳＰメッセージに含まれている‘Ｓｔａｒｔ Ｆｒａｍｅ’に応じて、ＭＳ３００が上記ＭＯＢ-ＳＣＮ-ＲＳＰメッセージを受信した時点からＭフレームを待機した後に（ステップＳ３１７）、上記第２の基地局３２０及び第３の基地局３３０に対するパイロット信号スキャニング動作を遂行する。すなわち、ＭＳ３００は、上記‘デュレーション（Duration）’であるＮフレームの間の第２の基地局３２０との同期を獲得した後（ｓｙｎｃｈｒｏｎｉｚｅ ｗｉｔｈ ＢＳ＃２）（ステップＳ３１９）、上記パイロット信号スキャニングを遂行する（ステップＳ３２１）。また、ＭＳ３００は、第３の基地局３３０との同期を獲得した後（ｓｙｎｃｈｒｏｎｉｚｅ ｗｉｔｈ ＢＳ＃３）（ステップＳ３２３）、上記パイロット信号スキャニングを遂行する（ステップＳ３２５）。
【００３８】
上述したように、上記ＭＯＢ-ＮＢＲ-ＡＤＶメッセージが該当隣接基地局で使用されるプリアンブル信号のプリアンブルインデックスを含み、ＭＳ３００が上記プリアンブルインデックスに応じて、上記パイロット信号スキャニングを遂行するので、ＭＳ３００は、高速で上記パイロットスキャニングを遂行することができる。従って、上記デュレーション内で、すべての隣接基地局に対するパイロットスキャニングを遂行することができる。上記高速のパイロットスキャニングは、ＭＳ３００のハンドオーバーに関連した推奨ターゲット基地局の選択などで高速の処理を可能にして、結果的に、高速のハンドオーバーも可能にする。
【００３９】
図３では、上記隣接基地局が複数のセクターの構成を支援しない場合のパイロット信号スキャニング動作について説明したが、上述したように、上記隣接基地局が上記複数のセクターの構成を支援する場合に、ＭＳ３００は、上記プリアンブルインデックスが上記ＭＯＢ-ＮＢＲ-ＡＤＶメッセージに含まれているので、上記隣接基地局内のセクターのプリアンブルインデックスに応じて、上記パイロット信号のスキャニングを遂行する。従って、ＭＳ３００は、高速で上記パイロットスキャニングを遂行することができる。その結果、上記デュレーション内で、すべての隣接基地局内のセクターに対するパイロットスキャニングを遂行することができる。
【００４０】
図５は、本発明の実施形態によるＭＯＢ-ＢＳＨＯ-ＲＥＱメッセージのフォーマットを示す図である。
図５を参照すると、上記ＭＯＢ-ＢＳＨＯ-ＲＥＱメッセージは、複数のＩＥ、すなわち、現在送信されているメッセージのタイプを示す‘マネージメントメッセージタイプ（Management Message Type）’と、実際ハンドオーバーが開始されるものと予想される時間を示す‘Ｅｓｔｉｍａｔｅｄ ＨＯ ｓｔａｒｔ’と、ネットワーク支援ハンドオーバーを支援するか否かを示す‘Ｎｅｔｗｏｒｋ Ａｓｓｉｓｉｓｔｅｄ ＨＯ ｓｕｐｐｏｒｔｅｄ’と、セクター間のハンドオーバーであるか否かを示す‘Ｉｎｔｅｒ Ｓｅｃｔｏｒ ＨＯ’と、隣接基地局のうち、ＭＳがハンドオーバー可能な推奨ターゲット基地局の識別子を示す‘Ｎｅｉｇｈｂｏｒ ＢＳ−ＩＤ’と、上記‘Ｉｎｔｅｒ Ｓｅｃｔｏｒ ＨＯ’がセクター間のハンドオーバーを示す場合のセクターのプリアンブルインデックスを示す‘Ｐｒｅａｍｂｌｅ Ｉｎｄｅｘ’と、上記推奨基地局が提供可能なサービスレベルを示す‘ｓｅｒｖｉｃｅ ｌｅｖｅｌ ｐｒｅｄｉｃｔｉｏｎ’と、付加用途で予約された‘Ｒｅｓｅｒｖｅｄ’とを含む。
【００４１】
図５に示すように、本発明が複数のセクターの構成を含む基地局間のハンドオーバーと高速のスキャニング及び高速のハンドオーバーとを支援するので、ＩＥＥＥ８０２．１６ｅ通信システムの一般的なＭＯＢ-ＢＳＨＯ-ＲＥＱメッセージにセクター間のハンドオーバーであるか否かを示す‘Ｉｎｔｅｒ Ｓｅｃｔｏｒ ＨＯ’と、上記‘Ｉｎｔｅｒ Ｓｅｃｔｏｒ ＨＯ’がセクター間のハンドオーバーを示す場合のセクターのプリアンブルインデックスを示す‘Ｐｒｅａｍｂｌｅ Ｉｎｄｅｘ’とを付加的に挿入する。もちろん、上記推奨ターゲット基地局が上記複数のセクターの構成を支援しない場合には、ＩＥＥＥ８０２．１６ｅ通信システムの一般的なＭＯＢ-ＢＳＨＯ-ＲＥＱメッセージに、上記推奨ターゲット基地局で使用される‘プリアンブルインデックス’のみを挿入することもできる。また、本発明では、ＩＥＥＥ８０２．１６ｅ通信システムの一般的なＭＯＢ-ＢＳＨＯ-ＲＥＱメッセージに付加情報を挿入する形態を一例に挙げて説明したが、新たなフォーマットで上記ＭＯＢ-ＢＳＨＯ-ＲＥＱメッセージを生成することもできる。
【００４２】
図６は、本発明の実施形態によるＭＯＢ-ＭＳＨＯ-ＲＥＱメッセージのフォーマットを示す図である。
図６を参照すると、上記ＭＯＢ-ＭＳＨＯ-ＲＥＱメッセージは、複数のＩＥ、すなわち、現在送信されているメッセージのタイプを示す‘マネージメントメッセージタイプ（Management Message Type）’と、実際ハンドオーバーが開始されるものと予想される時間を示す‘Ｅｓｔｉｍａｔｅｄ ＨＯ ｓｔａｒｔ’と、セクター間のハンドオーバーであるか否かを示す‘Ｉｎｔｅｒ Ｓｅｃｔｏｒ ＨＯ’と、隣接基地局のうち、ＭＳがハンドオーバー可能な推奨ターゲット基地局の識別子を示す‘Ｎｅｉｇｈｂｏｒ ＢＳ−ＩＤ’と、上記‘Ｉｎｔｅｒ Ｓｅｃｔｏｒ ＨＯ’がセクター間のハンドオーバーを示す場合のセクターのプリアンブルインデックスを示す‘Ｐｒｅａｍｂｌｅ Ｉｎｄｅｘ’と、ＭＳが測定した推奨ターゲット基地局のパイロット信号のＣＩＮＲを示す‘ＢＳ ＣＩＮＲ ｍｅａｎ’と、上記推奨基地局が提供可能なサービスレベルを示す‘ｓｅｒｖｉｃｅ ｌｅｖｅｌ ｐｒｅｄｉｃｔｉｏｎ’と、付加用途で予約された‘Ｒｅｓｅｒｖｅｄ’とを含む。
【００４３】
図６に示すように、本発明が複数のセクターの構成を含む基地局間のハンドオーバーと高速のスキャニング及び高速のハンドオーバーとを支援するので、ＩＥＥＥ８０２．１６ｅ通信システムの一般的なＭＯＢ-ＭＳＨＯ-ＲＥＱメッセージにセクター間のハンドオーバーであるか否かを示す‘Ｉｎｔｅｒ Ｓｅｃｔｏｒ ＨＯ’と、上記‘Ｉｎｔｅｒ Ｓｅｃｔｏｒ ＨＯ’がセクター間のハンドオーバーを示す場合のセクターのプリアンブルインデックスを示す‘Ｐｒｅａｍｂｌｅ Ｉｎｄｅｘ’とを付加的に挿入する。もちろん、上記推奨ターゲット基地局が上記複数のセクターの構成を支援しない場合には、ＩＥＥＥ８０２．１６ｅ通信システムの一般的なＭＯＢ-ＭＳＨＯ-ＲＥＱメッセージに、上記推奨ターゲット基地局で使用される‘プリアンブルインデックス’のみを挿入することもできる。また、本発明では、ＩＥＥＥ８０２．１６ｅ通信システムの一般的なＭＯＢ-ＭＳＨＯ-ＲＥＱメッセージに付加情報を挿入する形態を一例に挙げて説明したが、新たなフォーマットで上記ＭＯＢ-ＭＳＨＯ-ＲＥＱメッセージを生成することもできる。
【００４４】
図７は、本発明の実施形態によるＭＯＢ-ＢＳＨＯ-ＲＳＰメッセージのフォーマットを示す図である。
図７を参照すると、上記ＭＯＢ-ＢＳＨＯ-ＲＳＰメッセージは、複数のＩＥ、すなわち、現在送信されているメッセージのタイプを示す‘マネージメントメッセージタイプ（Management Message Type）’と、実際ハンドオーバーが開始されるものと予想される時間を示す‘Ｅｓｔｉｍａｔｅｄ ＨＯ ｓｔａｒｔ’と、セクター間のハンドオーバーであるか否かを示す‘Ｉｎｔｅｒ Ｓｅｃｔｏｒ ＨＯ’と、隣接基地局のうち、ＭＳがハンドオーバー可能な推奨ターゲット基地局の識別子を示す‘Ｎｅｉｇｈｂｏｒ ＢＳ−ＩＤ’と、上記‘Ｉｎｔｅｒ Ｓｅｃｔｏｒ ＨＯ’がセクター間のハンドオーバーを示す場合のセクターのプリアンブルインデックスを示す‘Ｐｒｅａｍｂｌｅ Ｉｎｄｅｘ’と、上記推奨基地局が提供可能なサービスレベルを示す‘ｓｅｒｖｉｃｅ ｌｅｖｅｌ ｐｒｅｄｉｃｔｉｏｎ’と、付加用途で予約された‘Ｒｅｓｅｒｖｅｄ’とを含む。
【００４５】
図７に示すように、本発明が複数のセクターの構成を含む基地局間のハンドオーバーと高速のスキャニング及び高速のハンドオーバーとを支援するので、ＩＥＥＥ８０２．１６ｅ通信システムの一般的なＭＯＢ-ＢＳＨＯ-ＲＳＰメッセージにセクター間のハンドオーバーであるか否かを示す‘Ｉｎｔｅｒ Ｓｅｃｔｏｒ ＨＯ’と、上記‘Ｉｎｔｅｒ Ｓｅｃｔｏｒ ＨＯ’がセクター間のハンドオーバーを示す場合のセクターのプリアンブルインデックスを示す‘Ｐｒｅａｍｂｌｅ Ｉｎｄｅｘ’とを付加的に挿入する。もちろん、上記推奨ターゲット基地局が上記複数のセクターの構成を支援しない場合には、ＩＥＥＥ８０２．１６ｅ通信システムの一般的なＭＯＢ-ＢＳＨＯ-ＲＥＱメッセージに、上記推奨ターゲット基地局で使用される‘プリアンブルインデックス’のみを挿入することもできる。また、本発明では、ＩＥＥＥ８０２．１６ｅ通信システムの一般的なＭＯＢ-ＢＳＨＯ-ＲＳＰメッセージに付加情報を挿入する形態を一例に挙げて説明したが、新たなフォーマットで上記ＭＯＢ-ＢＳＨＯ-ＲＳＰメッセージを生成することもできる。
【００４６】
図８は、本発明の実施形態によるＭＯＢ-ＨＯ-ＩＮＤメッセージのフォーマットを示す図である。
図８を参照すると、上記ＭＯＢ-ＨＯ-ＩＮＤメッセージは、複数のＩＥ、すなわち、現在送信されているメッセージのタイプを示す‘マネージメントメッセージタイプ（Management Message Type）’と、セクター間のハンドオーバーであるか否かを示す‘Ｉｎｔｅｒ Ｓｅｃｔｏｒ ＨＯ’と、最終ターゲット基地局へのハンドオーバーを決定したか、あるいは、ハンドオーバーを取り消したか、又は拒否したかを示す‘ＨＯ_ＩＮＤ_ｔｙｐｅ’と、上記最終ターゲット基地局へのＭＳのハンドオーバーを決定した場合の上記最終ターゲット基地局の基地局識別子を示す‘Ｎｅｉｇｈｂｏｒ ＢＳ-ＩＤ’と、上記‘Ｉｎｔｅｒ Ｓｅｃｔｏｒ ＨＯ’がセクター間のハンドオーバーを示す場合のセクターのプリアンブルインデックスを示す‘Ｐｒｅａｍｂｌｅ Ｉｎｄｅｘ’と、付加用途で予約された‘Ｒｅｓｅｒｖｅｄ’とを含む。
【００４７】
図８に示すように、本発明が複数のセクターの構成を含む基地局間のハンドオーバーと高速のスキャニング及び高速のハンドオーバーとを支援するので、ＩＥＥＥ８０２．１６ｅ通信システムの一般的なＭＯＢ-ＨＯ-ＩＮＤメッセージにセクター間のハンドオーバーであるか否かを示す‘Ｉｎｔｅｒ Ｓｅｃｔｏｒ ＨＯ’と、上記‘Ｉｎｔｅｒ Ｓｅｃｔｏｒ ＨＯ’がセクター間のハンドオーバーを示す場合のセクターのプリアンブルインデックスを示す‘Ｐｒｅａｍｂｌｅ Ｉｎｄｅｘ’とを付加的に挿入する。もちろん、上記最終ターゲット基地局が上記複数のセクターの構成を支援しない場合には、ＩＥＥＥ８０２．１６ｅ通信システムの一般的なＭＯＢ-ＨＯ-ＩＮＤメッセージに、上記最終ターゲット基地局で使用される‘プリアンブルインデックス’のみを挿入することもできる。また、本発明では、ＩＥＥＥ８０２．１６ｅ通信システムの一般的なＭＯＢ-ＨＯ-ＩＮＤメッセージに付加情報を挿入する形態を一例に挙げて説明したが、新たなフォーマットで上記ＭＯＢ-ＨＯ-ＩＮＤメッセージを生成することもできる。
【００４８】
一方、本発明では、別途に説明していないが、サービング基地局及び隣接基地局が共通の周波数帯域を使用する場合には、ＭＳは、スキャニング動作を遂行することなく、すなわち、上記ＭＯＢ-ＳＣＮ-ＲＥＱメッセージを別途に送信せず、上記サービング基地局に直接にハンドオーバーを要求することができる。その理由は、ＰＨＹモデム（modem）によって共通の周波数帯域を使用する基地局のプリアンブル信号の強度を同時に測定することができるためである。また、上記サービング基地局が上記隣接基地局の信号強度の測定を要求すると、上記サービング基地局は、特定の測定区間を必要としないことが分かる。すなわち、上記サービング基地局及び上記隣接基地局が同一の周波数帯域を使用する場合には、プリアンブルインデックスを通知する。従って、不必要な動作を除去することによって、さらなる高速のハンドオーバーが可能となる。
【００４９】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００５０】
【図１】従来のＩＥＥＥ８０２．１６ｅ通信システムの構成を概略的に示すブロック図である。
【図２】本発明の実施形態によるＩＥＥＥ８０２．１６ｅ通信システムにおけるハンドオーバー過程を示すフロー図である。
【図３】本発明の実施形態によるＩＥＥＥ８０２．１６ｅ通信システムにおけるスキャニング過程を示すフロー図である。
【図４】本発明の実施形態によるＭＯＢ-ＮＢＲ-ＡＤＶメッセージのフォーマットを示す図である。
【図５】本発明の実施形態によるＭＯＢ-ＢＳＨＯ-ＲＥＱメッセージのフォーマットを示す図である。
【図６】本発明の実施形態によるＭＯＢ-ＭＳＨＯ-ＲＥＱメッセージのフォーマットを示す図である。
【図７】本発明の実施形態によるＭＯＢ-ＢＳＨＯ-ＲＳＰメッセージのフォーマットを示す図である。
【図８】本発明の実施形態によるＭＯＢ-ＨＯ-ＩＮＤメッセージのフォーマットを示す図である。
【符号の説明】
【００５１】
２００，３００  移動端末機
２１０，３１０  第１の基地局
２２０，３２０  第２の基地局
２３０，３３０  第３の基地局
２４０  第４の基地局
【図１】
2008500764.tif 000003
【図２】
2008500764.tif 000004
【図３】
2008500764.tif 000005
【図４】
2008500764.tif 000006
【図５】
2008500764.tif 000007
【図６】
2008500764.tif 000008
【図７】
2008500764.tif 000009
【図８】
2008500764.tif 000010
【国際調査報告】
2008500764.tif 000011
2008500764.tif 000012